(57)【特許請求の範囲】
【請求項１】
エネルギー資源管理サーバであって、
遠方のエネルギー資源からのエネルギー利用可能性メッセージ及び前記遠方のエネルギー資源の地理的場所を指示する地理的場所インジケータを受け取るための手段と、
遠方のエネルギー資源からのエネルギー要請メッセージ及び前記遠方のエネルギー資源の地理的場所を指示する地理的場所インジケータを受け取るための手段と、
受け取られたエネルギー利用可能性メッセージ及び受け取られたエネルギー要請メッセージ、ならびに前記遠方のエネルギー資源の地理的場所に基づいてエネルギー資源転送の両当事者を判定し、前記両当事者のうちの一方または両方に対して、前記判定された両当事者のうちの他方の当事者の地理的場所情報を送信するように構成されたプロセッサと、を備え、
前記遠方のエネルギー資源は、関連付けられた燃料貯蔵器を有する可搬型燃料電池電源を含む、エネルギー資源管理サーバ。
【請求項２】
前記プロセッサは、エネルギー資源タイプ、エネルギー資源レベル、エネルギー利用可能性分量、必要なエネルギー転送分量、転送時間、エネルギー利用可能性タイムウィンドウ、地理的近接性のうちの１つ以上に基づいて、エネルギー資源転送の両当事者を判定するように構成された、請求項１に記載のエネルギー資源管理サーバ。
【請求項３】
エネルギー資源管理サーバであって、
遠方のエネルギー資源からのエネルギー利用可能性メッセージ及び前記遠方のエネルギー資源の地理的場所を指示する地理的場所インジケータを受け取るための手段と、
遠方のエネルギー資源からのエネルギー要請メッセージ及び前記遠方のエネルギー資源の地理的場所を指示する地理的場所インジケータを受け取るための手段と、
受け取られたエネルギー利用可能性メッセージ及び受け取られたエネルギー要請メッセージ、ならびに前記遠方のエネルギー資源の地理的場所に基づいてエネルギー資源転送の両当事者を判定し、前記両当事者のうちの一方または両方に対して、前記判定された両当事者のうちの他方の当事者の地理的場所情報を送信するように構成されたプロセッサと、を備え、
前記プロセッサは、前記両当事者のうちの第１当事者の場所情報を、前記両当事者のうちの第２当事者に対して送信するのに先立って、エネルギー転送接続通知メッセージを送信し、前記第１当事者に対して前記エネルギー資源を要請する当事者の識別を周知するように構成された、エネルギー資源管理サーバ。
【請求項４】
前記プロセッサは、他方の当事者に対して前記場所情報を送信する前に、前記エネルギー転送接続通知メッセージを送られた当事者からの応答の受け取りを待ち受けるように構成された、請求項３に記載のエネルギー資源管理サーバ。
【請求項５】
エネルギー資源管理サーバであって、
遠方のエネルギー資源からのエネルギー利用可能性メッセージ及び前記遠方のエネルギー資源の地理的場所を指示する地理的場所インジケータを受け取るための手段と、
遠方のエネルギー資源からのエネルギー要請メッセージ及び前記遠方のエネルギー資源の地理的場所を指示する地理的場所インジケータを受け取るための手段と、
受け取られたエネルギー利用可能性メッセージ及び受け取られたエネルギー要請メッセージ、ならびに前記遠方のエネルギー資源の地理的場所に基づいてエネルギー資源転送の両当事者を判定し、前記両当事者のうちの一方または両方に対して、前記判定された両当事者のうちの他方の当事者の地理的場所情報を送信するように構成されたプロセッサと、を備え、
前記プロセッサは、リスト内の各候補がおおよその場所インジケータと関連付けられている、エネルギー利用可能性を有する当事者候補リストを、エネルギー資源を要請している当事者に送信し、前記当事者候補リストから選択された候補を指示する選択メッセージの受け取り後に、前記選択された当事者候補のより精密な場所インジケータを送信するように構成された、エネルギー資源管理サーバ。
【請求項６】
前記両当事者間で転送されるエネルギーの量を指示するエネルギー転送メッセージを受け取るための手段を含む、請求項１〜５のいずれか１項に記載のエネルギー資源管理サーバ。
【請求項７】
前記プロセッサは、少なくとも１つのエネルギー転送制御メッセージを前記両当事者のうちの一方または両方に送信し、前記両当事者間でのエネルギーの転送を制御するように構成された、請求項１〜６のいずれか１項に記載のエネルギー資源管理サーバ。
【請求項８】
前記プロセッサは、前記転送されるエネルギーの量の記録を、前記両当事者のうちの少なくとも一方を識別する当事者識別子と関連付けるように構成された、請求項６に記載のエネルギー資源管理サーバ。
【請求項９】
エネルギー資源管理サーバであって、
遠方のエネルギー資源からのエネルギー利用可能性メッセージ及び前記遠方のエネルギー資源の地理的場所を指示する地理的場所インジケータを受け取るための手段と、
遠方のエネルギー資源からのエネルギー要請メッセージ及び前記遠方のエネルギー資源の地理的場所を指示する地理的場所インジケータを受け取るための手段と、
受け取られたエネルギー利用可能性メッセージ及び受け取られたエネルギー要請メッセージ、ならびに前記遠方のエネルギー資源の地理的場所に基づいてエネルギー資源転送の両当事者を判定し、前記両当事者のうちの一方または両方に対して、前記判定された両当事者のうちの他方の当事者の地理的場所情報を送信するように構成されたプロセッサと、を備え、
前記エネルギー資源転送においてエネルギーを供給する前記遠方のエネルギー資源の地理的場所を含む地理的場所インジケータメッセージを受け取る手段と、
前記エネルギー資源転送においてエネルギーを供給する前記エネルギー資源の所有者の地理的場所を含むエネルギー資源所有者場所メッセージを受け取る手段と、
前記両当事者のうちの一方に対してエネルギーを供給する前記遠方のエネルギー資源と、前記遠方のエネルギー資源の前記所有者を含む他方の当事者との間における、前記エネルギー資源転送中の、地理的距離の判定を提供するように構成された前記プロセッサと、を備える、エネルギー資源管理サーバ。
【請求項１０】
前記プロセッサは、エネルギー利用可能性分量に基づき、エネルギー資源転送の両当事者を判定するように構成され、エネルギー利用可能性分量は、
ｉ）転送のために利用可能なエネルギーの量の測定値、
ｉｉ）遠方のエネルギー資源間のエネルギーの特定量を転送するために必要とされる時間の測定値のうちの１つ以上である、請求項１〜９のいずれか１項に記載のエネルギー資源管理サーバ。
【請求項１１】
前記遠方のエネルギー資源は、バッテリーを含む、請求項１〜１０のいずれか１項に記載のエネルギー資源管理サーバ。
【請求項１２】
エネルギー資源との連結のために構成された第１の通信チャンネルと、
遠方のサーバとの連結のために構成された第２の通信チャンネルと、
前記第１の通信チャンネルを介して前記エネルギー資源から状態メッセージを受け取り、エネルギー利用可能性メッセージ及び地理的場所インジケータを前記第２の通信チャンネルを介して前記遠方のサーバに送信するように構成されたプロセッサと、を備え、前記プロセッサはさらに、前記遠方のサーバからエネルギー要請メッセージを受け取り、前記エネルギー要請の表示を提供するように構成され、
前記エネルギー資源は、関連付けられた燃料貯蔵器を有する可搬型燃料電池電源を含む、移動型遠隔通信装置。
【請求項１３】
前記状態メッセージは、エネルギー資源タイプ及びエネルギー資源レベルのうちの１つ以上の指示を含む、請求項１２に記載の移動型遠隔通信装置。
【請求項１４】
前記エネルギー利用可能性メッセージは、エネルギー資源タイプ、エネルギー資源レベル、エネルギー利用可能性分量、転送時間、エネルギー利用可能性タイムウィンドウのうちの１つ以上の指示を含む、請求項１２に記載の移動型遠隔通信装置。
【請求項１５】
エネルギー利用可能性分量及びエネルギー利用可能性タイムウィンドウを定義するユーザ入力を受け取るように構成されたユーザインタフェースをさらに含む、請求項１２に記載の移動型遠隔通信装置。
【請求項１６】
セルラー電話内またはエネルギー資源ユニット内に組み込まれる、請求項１２に記載の移動型遠隔通信装置。
【請求項１７】
エネルギー資源ユニットをさらに含み、前記エネルギー資源ユニットは燃料電池電源及び燃料キャニスター、または燃料貯蔵器を備える、請求項１２に記載の移動型遠隔通信装置。
【請求項１８】
前記プロセッサは、エネルギーを共用する意思のある前記エネルギー資源の少なくとも１つの地理的場所への案内を表示するように構成された、請求項１２に記載の移動型遠隔通信装置。
【請求項１９】
前記プロセッサは、前記エネルギー要請メッセージ内に指定されたエネルギーの量、前記遠方のサーバから受け取られたメッセージ内に指定されたエネルギーの量、前記遠方のサーバから受け取られた少なくとも１つの制御信号、または、別の移動型遠隔通信装置から受け取られた少なくとも１つの制御信号のうちの少なくとも１つに基づき、エネルギー資源転送を制御するように構成された、請求項１２に記載の移動型遠隔通信装置。
【請求項２０】
遠方のエネルギー資源からのエネルギー利用可能性メッセージ及び前記遠方のエネルギー資源の地理的場所を指示する地理的場所インジケータを受け取ることと、
遠方のエネルギー資源からのエネルギー要請メッセージ及び前記遠方のエネルギー資源の地理的場所を指示する地理的場所インジケータを受け取ることと、
受け取られたエネルギー利用可能性メッセージ及び受け取られたエネルギー要請メッセージ、ならびに前記遠方のエネルギー資源の地理的場所に基づいて、エネルギー資源転送の両当事者を判定し、前記両当事者のうちの一方または両方に対して、前記判定された両当事者のうちの他方の当事者の地理的場所情報を送信することと、をプロセッサにより実行するための命令を含み、
前記遠方のエネルギー資源は、関連付けられた燃料貯蔵器を有する可搬型燃料電池電源を含む、コンピュータプログラムまたはコンピュータプログラム製品。
【請求項２１】
エネルギー資源との連結のために第１の通信チャンネルを確立することと、
遠方のサーバとの連結のために第２の通信チャンネルを確立することと、
前記第１の通信チャンネルを介して前記エネルギー資源から状態メッセージを受け取り、エネルギー利用可能性メッセージ及び地理的場所インジケータを前記第２の通信チャンネルを介して前記遠方のサーバに送信することを提供し、前記遠方のサーバからエネルギー要請メッセージを受け取り、前記エネルギー要請の表示を提供することと、をプロセッサにより実行するための命令を含み、
前記エネルギー資源は、関連付けられた燃料貯蔵器を有する可搬型燃料電池電源を含む、コンピュータプログラムまたはコンピュータプログラム製品。
【発明の詳細な説明】
【技術分野】
【０００１】
本発明は可搬型移動型遠隔通信装置を充電するためのエネルギー資源システムに関する。特にこれは、エネルギーを欲する第１の当事者と、前述のエネルギーを提供するために利用可能なエネルギー資源を有する少なくとも１つの当事者との間のエネルギー資源転送のために両当事者を判定するためのエネルギー資源管理サーバに関する。本発明はエネルギー資源転送を要請するためにメッセージを発信するため、及びエネルギー資源の使用を申し出るメッセージを送信するための移動型遠隔通信装置にも関する。
【背景技術】
【０００２】
可搬型または移動型遠隔通信装置は、本線電気ポイントから離れているときに、装置用の電力を提供するためのエネルギー資源を典型的に使用する。エネルギー資源には、エネルギーで充電することができるバッテリーが含まれ得る。バッテリーは、移動型遠隔通信装置の一次バッテリー（組み込みまたは取り外し可能）を含んでもよく、あるいは一次バッテリーを充電するための二次バッテリーを含んでもよい。このように、移動型遠隔通信装置はその中に一次バッテリーを有してよく、移動型遠隔通信装置のユーザは、一次バッテリーを充電するためにそれと取り外し可能に接続することができる二次バッテリーを備えたエネルギー資源を有してよい。さらに、エネルギー資源は、エネルギーを移動型遠隔通信装置へ直接的に供給するため、または前述の移動型遠隔通信装置の一次バッテリーを充電するために、燃料資源からエネルギーを生成可能である燃料電池等のエネルギー生成装置を含んでもよい。
【０００３】
可搬型移動型遠隔通信装置のエネルギー需要は増加しており、前述の可搬型移動型遠隔通信装置の一次バッテリーは、装置を再充電するためにユーザが本線電気ポイントへ戻ろうと意図する遥か前にエネルギーを使い果たす場合がある。本線電気ポイントの利用可能性は、公共建物または郊外等の特定エリアにおいては限定される場合がある。
【発明の概要】
【０００４】
本発明の第１の態様に従い、
遠方のエネルギー資源からのエネルギー利用可能性メッセージ及び前述の遠方エネルギー資源の地理的場所を指示する地理的場所インジケータを受け取るための手段と、
遠方のエネルギー資源からのエネルギー要請メッセージ及び前述の遠方のエネルギー資源の地理的場所を指示する地理的場所インジケータを受け取るための手段と、
受け取られたエネルギー利用可能性メッセージ及び受け取られたエネルギー要請メッセージ、ならびに遠方のエネルギー資源の地理的場所に基づいてエネルギー資源転送の両当事者を判定し、両当事者のうちの一方または両方に対して、判定された両当事者のうちの他方の当事者の場所情報を送信するように構成されたプロセッサと、を備えるエネルギー資源管理サーバを提供する。
【０００５】
これは、エネルギー資源管理サーバが基準に基づいて両当事者を判定し、次いでエネルギーを必要としている当事者に対してエネルギーを積極的に提供する当事者について周知することができるので有利である。サーバはこのようにして、可搬型エネルギー資源共用システムの一部を提供する。サーバは、中央サーバを備えてよく、あるいはその機能はいくつかのサーバにわたって分散されてよく、あるいはその機能は遠方のエネルギー資源にわたって分散されてよく、あるいは、前述の組み合わせであってもよいことが理解されるであろう。
【０００６】
任意選択により、プロセッサは、エネルギー資源タイプ、エネルギー資源レベル、エネルギー利用可能性分量、必要なエネルギー転送分量、転送時間、エネルギー利用可能性タイムウィンドウ、地理的近接性、利用可能性エネルギーの価格または価値（またはエネルギーの不連続量）のうちの１つ以上に基づき、エネルギー資源転送の両当事者を判定するように構成される。エネルギー資源タイプは、バッテリーもしくは燃料電池、またはバッテリーもしくは燃料電池のサブタイプを含んでよい。エネルギー資源レベルはエネルギー資源において利用可能なエネルギーの量を含んでよい。エネルギー利用可能性分量は、一方の当事者からの共用のために利用可能なエネルギーの量を含んでよい。必要なエネルギー転送分量は、他方の当事者により要請されるまたは必要とされるエネルギーの量を含んでよい。エネルギー利用可能性タイムウィンドウは共用のために各当事者が対応可能な時間を含んでよい。両当事者の効果的判定は有利である。
【０００７】
任意選択により、プロセッサは、第１の当事者の場所情報を、第２の当事者に対して送信するのに先立って、エネルギー転送接続通知メッセージを送信し、第１の当事者に対してエネルギー資源を要請する当事者の識別を周知するように構成される。これは、場所が他方の当事者に対して公開されている場合に当事者が通知されるので有利である。サーバが、エネルギー共用当事者を場所情報の公開によってエネルギー要請当事者に向けるように構成される場合は、エネルギー転送接続周知メッセージがエネルギー資源を必要としている当事者に対して送られてもよい。
【０００８】
任意選択により、プロセッサは、他方の当事者に対して場所情報を送信する前に、エネルギー転送接続通知メッセージを送られた当事者からの応答の受け取りを待ち受けるように構成される。このように、エネルギー共用者または要請者は彼らの場所の共用を是認可能である。
【０００９】
任意選択により、プロセッサは、リスト内の各候補がおおよその場所インジケータと関連付けられている、エネルギー利用可能性を有する当事者候補のリストを、エネルギー資源を要請している当事者に送信し、当事者候補リストから選択された候補を指示する選択メッセージの受け取り後に、選択された当事者候補のより精密な場所インジケータを送信するように構成される。
【００１０】
任意選択により、サーバは、両当事者間で転送されるエネルギーの量を指示するエネルギー転送メッセージを受け取るための手段を含む。エネルギー転送メッセージは、エネルギー資源転送中はずっと定期的に、あるいは転送の終わりにおいて受け取られてもよい。これは報酬システムの実装を可能にし得るか、あるいは将来のエネルギー資源転送がこの情報に基づいて制御されてよい。
【００１１】
任意選択により、プロセッサは、少なくとも１つのエネルギー転送制御メッセージを両当事者のうちの一方または両方に対して送信し、両当事者間でのエネルギーの転送を制御するように構成される。このように、サーバは両当事者の間でエネルギーの流れを制御してよい。エネルギー転送制御メッセージは、エネルギー転送の開始及びエネルギー転送の終了の１つ以上を含んでよい。このように、サーバは、他方の当事者の燃料電池により、第１の当事者の燃料貯蔵容器から引き出される燃料の量を制御してよい。
【００１２】
任意選択により、プロセッサは、転送されるエネルギーの量の記録を、両当事者のうちの少なくとも一方を識別する当事者識別子と関連付けるように構成される。
【００１３】
任意選択により、サーバは、
エネルギー資源転送においてエネルギーを供給する遠方のエネルギー資源の地理的場所を含む地理的場所インジケータメッセージを受け取る手段と、
エネルギー資源転送においてエネルギーを供給するエネルギー資源の所有者の地理的場所を含むエネルギー資源所有者場所メッセージを受け取る手段と、
両当事者のうちの一方に対してエネルギーを供給する遠方のエネルギー資源と、前述の遠方のエネルギー資源の所有者を含む他方の当事者との間における、エネルギー資源転送中の、地理的距離の判定を用意するように構成されたプロセッサと、を備える。
【００１４】
これは、さまざまな装置間の距離を監視してこれらの装置が離れすぎて迷うことがないようにできるため、共用されるエネルギー資源のセキュリティを確保するために有利である。
【００１５】
任意選択により、プロセッサは、エネルギー利用可能性分量に基づき、エネルギー資源転送の両当事者を判定するように構成され、エネルギー利用可能性分量は、
ｉ）転送のために利用可能なエネルギーの量の測定値、
ｉｉ）遠方のエネルギー資源間のエネルギーの特定量を転送するために必要とされる時間の測定値のうちの１つ以上である。
【００１６】
任意選択により、遠方のエネルギー資源は、関連付けられた燃料貯蔵器を有する可搬型燃料電池電源を含む。このように、共用される資源は、燃料電池電源と燃料貯蔵器、あるいは燃料貯蔵器のみを含んでよい。
【００１７】
任意選択により、遠方のエネルギー資源は、バッテリーを含む。
【００１８】
サーバは、エネルギー資源が積極的に共用を行うエネルギーの価値を指定する、遠方のエネルギー資源からのエネルギー価値メッセージを受け取るように構成されてよい。サーバは、エネルギー資源が積極的にエネルギーのために支払いを行う価値を指定する、遠方のエネルギー資源からのエネルギー入札メッセージを受け取るように構成されてよい。サーバは、エネルギー価値メッセージ及びエネルギー入札メッセージに基づき、両当事者の判定を用意するように構成されてよい。これは、エネルギーを必要とするユーザが、エネルギーの共用を積極的に行うユーザによって供給されるエネルギーについて１つ以上の入札を行ってよいので有利である。エネルギーを積極的に共用するユーザは、彼らのエネルギーの対価として欲する、エネルギー価値メッセージによる留保価値または固定価格を設定することができる。したがって、サーバはオークションを行い、エネルギー資源転送の両当事者を判定してよい。オークションはエネルギーのために支払われる価格を最大化するように構成されてよい。
【００１９】
サーバは、エネルギー資源内のエネルギーに関するオークションに積極的に入る地理的場所、利用可能な日時、エネルギーを要請しているユーザの所へ来る準備ができているか、エネルギーを要請しているユーザがそこへ行くことが必要とされるか、のうちの１つ以上を指定するエネルギー資源からオークション指定メッセージを受け取るように構成されてよい。
【００２０】
サーバは、エネルギー資源転送を周旋するための取引手数料の集合、及び／または、転送されるエネルギーに関する両当事者間の支払いの集合を指定してよい取引記録メッセージを送信または記録するように構成されてよい。
【００２１】
サーバは、地理的場所、特定時刻におけるエネルギー共用の積極性、エネルギーの必要時における人物への到着の積極性、両当事者の地理的場所、両当事者間の旅行時間、エネルギー資源の信頼性の測定値またはエネルギー共用者及びエネルギー要請者のクレジットスコアの１つ以上に基づき、両当事者を判定するように構成されてよい。
【００２２】
本発明の第２の態様に従うと、
エネルギー資源との連結のために構成される第１の通信チャンネルと、
遠方のサーバと連結するために構成される第２の通信チャンネルと、
第１の通信チャンネルを介してエネルギー資源から状態メッセージを受け取り、エネルギー利用可能性メッセージ及び地理的場所インジケータを第２の通信チャンネルを介して遠方のサーバに送信するように構成されたプロセッサと、を備える移動型遠隔通信装置が提供され、前述のプロセッサはさらに、遠方のサーバからエネルギー要請メッセージを受け取り、前述のエネルギー要請の表示を用意するように構成される。
【００２３】
これは、移動型遠隔通信装置またはその上にインストールされるソフトウェアが、エネルギー資源転送の両当事者を判定するために、関連付けられたエネルギー資源及びサーバとの通信を含む、エネルギー共用を提供するように構成されるので、有利である。
【００２４】
任意選択により、状態メッセージは、エネルギー資源タイプ及びエネルギー資源レベルのうちの１つ以上の指示を含む。このように、移動型遠隔通信装置は資源から自動的に情報を受け取り、両当事者を判定するためにサーバに渡すことが可能である。
【００２５】
任意選択により、エネルギー利用可能性メッセージは、エネルギー資源タイプ、エネルギー資源レベル、エネルギー利用可能性分量、転送時間、エネルギー利用可能性タイムウィンドウのうちの１つ以上の指示を含む。
【００２６】
任意選択により、装置は、エネルギー利用可能性分量及びエネルギー利用可能性タイムウィンドウを定義するユーザ入力を受け取るように構成される。
【００２７】
任意選択により、移動型遠隔通信装置は、セルラー電話内またはエネルギー要請ユニット内に組み込まれる。このように、燃料電池エネルギーソース等のエネルギー資源は、サーバとの通信のための手段を含んでよい。
【００２８】
任意選択により、移動型遠隔通信装置は、エネルギー資源ユニットをさらに含み、このエネルギー要請ユニットは燃料電池電源及び燃料貯蔵容器あるいは燃料貯蔵器を備える。
【００２９】
任意選択により、プロセッサは、エネルギーを積極的に共用するエネルギー資源の少なくとも１つの地理的場所への案内を表示するように構成される。このように、ユーザは共用のためのエネルギーを申し出る資源へ案内されてよい。
【００３０】
任意選択により、プロセッサは、エネルギー要請メッセージ内に指定されたエネルギーの量、遠方のサーバから受け取られたメッセージ中に指定されたエネルギーの量、遠方のサーバから受け取られた少なくとも１つの制御信号、または別の移動型遠隔通信装置から受け取られた少なくとも１つの制御信号のうちの少なくとも１つに基づき、エネルギー資源転送を制御するように構成される。
【００３１】
本発明の第３の態様に従うと、
遠方のエネルギー資源からエネルギー利用可能性メッセージ及び前述の遠方のエネルギー資源の地理的場所を指示する地理的場所インジケータを受け取ることと、
遠方のエネルギー資源からエネルギー要請メッセージ及び前述の遠方のエネルギー資源の地理的場所を指示する地理的場所インジケータを受け取ることと、
受け取られたエネルギー利用可能性メッセージ及び受け取られたエネルギー要請メッセージ、ならびに遠方のエネルギー資源の地理的場所に基づいてエネルギー資源転送の両当事者を判定し、両当事者のうちの一方または両方に対して、判定された両当事者のうちの他方の当事者の場所情報を送信することと、をプロセッサにより実行するための命令を含む、コンピュータプログラムまたはコンピュータプログラム製品が提供される。
【００３２】
本発明の第４の態様に従うと、
エネルギー資源との連結のための第１の通信チャンネルを確立することと、
遠方のサーバとの連結のための第２の通信チャンネルを確立することと、
第１の通信チャンネルを介してエネルギー資源から状態メッセージを受け取り、エネルギー利用可能性メッセージ及び地理的場所インジケータを第２の通信チャンネルを介して遠方のサーバに送信することを用意し、遠方のサーバからエネルギー要請メッセージを受け取り、前述のエネルギー要請の表示の用意をすることと、をプロセッサにより実行するための命令を含む、コンピュータプログラムまたはコンピュータプログラム製品が提供される。
【００３３】
本発明の第５の態様に従うと、
エネルギー共用において関与するエネルギー資源と関連付けられたユーザを判定することと、
報酬と前述のユーザを関連付けることと、を行うように構成されたエネルギー共用システムが提供される。
【００３４】
エネルギー共用当事者は、第１の態様のサーバにより判定することができる。エネルギー資源は可搬型燃料電池充電器を含んでもよい。任意選択により、前述の報酬は、前述のユーザにより別のユーザと共用されたエネルギーの量に基づいてよい。任意選択により、前述の報酬は、エネルギー共用のために前述のユーザが対応可能な時間の量に基づいてよい。前述の報酬は、賞金または賞金を勝ち取るためのチャンスを含んでよい。システムは、クレジット／デビットカード取引、ｉＴｕｎｅｓに基づく取引、ＰａｙＰａｌに基づく取引、もしくはＢｉｔｃｏｉｎ取引、またはあらゆる他の金銭転送取引等を介して、ユーザに対して報酬を提供するように構成されてよい。
【００３５】
ここで以下において、以下の図を参照して本発明の実施形態の詳細な記述を単に例題として掲げる。
【図面の簡単な説明】
【００３６】
【図１】エネルギー資源管理サーバ及び２つの可搬型エネルギー資源を示す。
【図２】エネルギー資源転送中の図１のエンティティを示す。
【図３】２つの異なる遠方のエネルギー資源と、エネルギー管理サーバとの間のメッセージの交換を示す。
【発明を実施するための形態】
【００３７】
図１は、エネルギー管理資源管理サーバ２、ならびに第１の遠方のエネルギー資源３及び第２のエネルギー資源４で構成されるエネルギー資源システム１を示す。第１及び第２の遠方のエネルギー資源３、４はそれぞれ、サーバ２と通信を行う手段を有し、前述の通信はインターネット５等のネットワークを介して行われてよい。遠方のエネルギー資源はサーバから遠方にあり、可搬型エネルギー資源を備える。
【００３８】
遠方のエネルギー資源３及び４は、サーバ２との通信を果たすために、ＧＳＭ（登録商標）、ＥＤＧＥ、ＵＭＴＳ、または他のセルラー電話規格、Ｗｉ−ｆｉ（登録商標）、Ｂｌｕｅｔｏｏｔｈ（登録商標）、または他の無線通信標準等の通信回線を有してよい。無線通信が可搬型移動型遠隔通信装置にとってより典型的であるが、有線通信回線が利用されてもよい。
【００３９】
第１の遠方のエネルギー資源３は、より具体的には、移動型電話を含む移動型遠隔通信装置３ａと、燃料電池充電器３ｂとを備える。燃料電池充電器は燃料電池６と燃料貯蔵容器７を備える。燃料電池は、燃料貯蔵容器７から水素等の燃料を受け取り、そこから電気を生成する電気化学燃料電池を含んでよい。
【００４０】
第２の遠方のエネルギー資源４は、より具体的には、タブレットコンピュータを含む移動型遠隔通信装置４ａと、燃料電池充電器４ｂとを備える。同様に、燃料電池充電器４ｂは燃料電池８と燃料貯蔵容器９とを備える。燃料電池は、燃料貯蔵容器９から水素等の燃料を受け取り、そこから電気を生成する電気化学燃料電池を含んでよい。
【００４１】
概して、エネルギー資源は、エネルギーを消費し、サーバとの通信を用意する移動型遠隔通信装置、及びエネルギー生成または貯蔵装置の２つの接続可能部を備えてよい。エネルギー生成装置は、燃料または他のエネルギーソースからエネルギーを生成することができる。エネルギー貯蔵装置は、移動型遠隔通信装置の一次バッテリーとは別のバッテリーを備えてよい。ユーザは本来、自分自身の移動型遠隔通信装置の一次バッテリーを充電するために、エネルギー生成または貯蔵装置を使用することができるが、システム１は、ユーザが、他人に対して彼／彼女のエネルギー生成／貯蔵装置の使用を提供すること、及び他のユーザのエネルギー生成／貯蔵装置を使用することを可能にする。
【００４２】
移動型電話３ａ及びタブレットコンピュータ４ａは各々、通常の使用時において装置３ａ、４ａのための一次電源を形成している、それぞれの装置に組み込まれた一次バッテリーを有する。燃料電池充電器３ｂ及び４ｂは、必要時にそれぞれ各装置の一次バッテリーを充電するために使用され得る周辺装置を備える。移動型遠隔通信装置３ａ、４ａ及び／または充電器３ｂ及び／または４ｂは、全地球測位システム、他の衛星ベースの場所サービスまたは地上ベースの地理的場所判定システムまたはそれらのハイブリッドタイプを含んでよい。代替的に、それらはそのような回線を含まず、サーバ２は、当業者には既知のことではあるが、装置３または４の間で通信チャンネルのサーバ２までのルートから、あるいはＭＡＣアドレスデータベースからその地理的場所（おおよそであっても）を判定できてもよい。
【００４３】
燃料電池充電器３ｂ、４ｂは、ケーブル１１、１２を介してそれらそれぞれの移動型遠隔通信装置３ａ、３ｂと接続されて示されている。ケーブル１１及び１２は、装置３ａと充電器３ｂの間、及び装置４ａと充電器４ｂの間の通信のための通信チャンネルを提供する。ケーブル１１、１２はまた、充電器３ｂと４ｂ及びそれぞれの装置３ａ及び４ａの間のエネルギーの転送を用意する。ケーブルが通信機能及びエネルギー転送機能のうちの１つのみに使用される場合があり、他方の機能は無線で達成されてもよいこと、あるいは両方の機能が無線で達成されてもよいことは理解されるであろう。例えば、Ｂｌｕｅｔｏｏｔｈ（登録商標）、ＷｉＦｉまたは他の広域またはローカルエリア接続またはパーソナルエリア通信標準を使用して通信を果たしてもよい。さらに、エネルギー転送は誘導方法により達成されてもよく、これは当業者に知られているであろう。
【００４４】
このように、この実施形態においては、移動型遠隔通信装置３ａまたは４ａと、それぞれの燃料電池充電器３ｂまたは４ｂとの組み合わせは各々、移動型エネルギー資源を形成し、これは遠方のエネルギー資源管理サーバ２と通信可能である。特に、「アプリ」の形態であってよい、移動型遠隔通信装置３ａまたは４ａに記憶されたソフトウェアは、第１の通信チャンネルを介してそれぞれ燃料電池充電器３ｂまたは４ｂと通信するため、ならびに第２の通信チャンネルを介してサーバ２と通信するために、移動型遠隔通信装置３ａまたは４ａのハードウェア／ソフトウェアを使用するための命令を格納する。
【００４５】
他の実施形態においては、燃料電池充電器３ｂまたは４ｂ（または他のタイプのエネルギー資源）は、移動型遠隔通信装置３ａまたは４ａの通信回線を利用するのではなく、サーバ２と直接通信するための通信回線を含んでよい。燃料電池充電器３ｂまたは４ｂは、ユーザとの対話を用意するために、表示装置及び入力装置を含んでよい。
【００４６】
エネルギー資源管理サーバ２は、遠方のエネルギー資源３、４がセルラーネットワークを介して通信するインターネットと接続されるサーバを備えてよい。他の実施形態では、サーバ２は駅または都市等のローカルエリアをカバーするために提供されるローカル装置を備えてよく、遠方のエネルギー資源３、４はＷｉ−Ｆｉ等を通して直接にサーバと通信してもよい。他の実施形態では、サーバの機能は遠方のエネルギー資源３、４にわたって分散されてもよい。
【００４７】
エネルギー資源管理サーバ２は、遠方のエネルギー資源３、４から受け取られたメッセージを処理し、それらをプロセッサに提供するように構成された、ソフトウェア、ハードウェアまたはファームウェアを備える、メッセージを受け取るための手段を有する。サーバ２は、遠方のエネルギー資源３、４から地理的場所インジケータを含むエネルギー利用可能性メッセージを受け取るように構成される。エネルギー利用可能性メッセージは、エネルギー資源（燃料電池充電器３ｂ、４ｂなど）からのエネルギーを別のエネルギー資源３、４または遠隔通信装置３ａ、４ａに積極的に提供または共用する旨の、遠方のエネルギー資源３、４またはそのユーザによる宣言を含む。エネルギー利用可能性メッセージは、共用のために利用可能なエネルギーの量またはエネルギー転送のために対応可能な時間の情報を含んでよい。エネルギー利用可能メッセージは、この実施形態においては、エネルギー資源３、４により判定された地理的場所情報を含む。しかしながら、地理的場所情報はサーバにより判定されてもよい。エネルギー利用可能性メッセージはまた、そのエネルギーを提供するエネルギー資源３、４の識別情報を提供する。
【００４８】
サーバ２はエネルギー要請メッセージを受け取るようにさらに構成される。エネルギー要請メッセージは、エネルギー資源３、４または移動型遠隔通信装置３ａ、４ａから、別のエネルギー資源３、４からエネルギーを受け取ることを希望する旨の要請を含む。エネルギー要請メッセージは、必要とされるまたは望まれるエネルギーの量またはエネルギー転送のために対応可能な時間またはその他の基準の情報を含んでよい。エネルギー要請メッセージは、この実施形態では、エネルギー要請メッセージを送るエネルギー資源３、４により判定される地理的場所情報を含む。しかしながら、地理的場所情報はサーバによって判定されることが可能である。エネルギー要請メッセージはまたエネルギーを要請しているエネルギー資源３、４の識別情報を提供する。
【００４９】
サーバは、一方の当事者のエネルギー資源から別の当事者のエネルギー資源へのエネルギー資源転送への参加のための両当事者を判定するように構成される。エネルギーを欲する当事者は、「エネルギー要請当事者」として参照され、他者へエネルギーを積極的に提供する当事者は「エネルギー共用当事者」として参照される。プロセッサは、受け取られたエネルギー利用可能性メッセージ及び受け取られたエネルギー要請メッセージに基づき、前述の転送の両当事者を判定してよい。このように、両当事者は、一方の当事者により望まれるエネルギーの量と他方の当事者により申し出られるエネルギーの量に基づいて判定されてよい。代替的に、両当事者間の地理的距離は両当事者を判定するために使用されてもよい。プロセッサがどのように両当事者を判定し得るかの他の例が以下に与えられる。
【００５０】
プロセッサは、エネルギーを必要とする当事者の移動型遠隔通信装置に対し、エネルギー利用可能性を指示している当事者の地理的場所情報を送信するようにさらに構成される。エネルギーを必要としている当事者は、次に、エネルギーを申し出ている当事者を物理的に場所決めし、そのエネルギー資源または移動型遠隔通信装置をそこからエネルギーを受け取るためにエネルギー共用当事者のエネルギー資源と接続可能である。
【００５１】
図２は、第２の当事者のエネルギー生成／貯蔵装置（充電器４ｂ）からエネルギー資源転送時にエネルギーを受け取る第１の当事者の移動型遠隔通信装置３ａを示す。エネルギー資源転送は、サーバ２によって、または移動型遠隔通信装置３ａ、４ａによって、またはエネルギー生成／貯蔵装置３ｂ、４ｂあるいはそれらの組み合わせにより制御されてよい。
【００５２】
サーバ２は、両当事者間で転送されるエネルギーの量を述べる１つ以上のエネルギー転送メッセージを受け取るように構成されてよい。これらのメッセージは、エネルギー転送を制御するためにサーバ２によって使用されてよく、あるいは、転送されるエネルギーの記録は、当事者のいずれかが参加する将来のエネルギー転送（互いにまたはさらなる当事者と）の条件を判定するために記録されてよい。
【００５３】
本発明の実施形態の詳細及び特徴がさらに記述され、図３は第１のエネルギー資源３とサーバ２との間、及び第２のエネルギー資源４とサーバ２との間のメッセージの交換の例を示す。
【００５４】
エネルギー資源は、図１及び２との関係において前に記述された形態のものであってよいが、しかしながら、本発明はサーバ２と通信し、その中に貯蔵されたまたはそれによって生成されたエネルギーを共用する能力を有するあらゆるエネルギー資源に適用され得ることが理解されるであろう。燃料電池充電器等の周辺エネルギー生成装置と組み合わされる移動型遠隔通信装置を備える移動型遠隔通信装置は、そのような設備の例を形成する。以下の記述は、そのような例を参照するが、しかし本発明は他の設備にも適用可能であることが理解されるであろう。
【００５５】
以下の記述において、第２のエネルギー資源４はエネルギー共用当事者を含み、そして第１のエネルギー資源３はエネルギーを必要とする当事者を含む。
【００５６】
サーバ２は、エネルギー資源４から、エネルギー資源４が他の当事者と共用可能であるエネルギーを有することを指示するエネルギー利用可能性メッセージ３５を受け取る。エネルギー利用可能性メッセージは、燃料電池のための燃料またはエネルギーが利用可能あるいはしきい量より上であるときにエネルギー資源４によって自動的に生成されてよい。エネルギー資源のユーザまたは所有者は、しきい量を設定あるいはエネルギー利用可能性メッセージのやり方によって共用するためのエネルギーの利用可能性をサーバ２に対して周知させるための資源４に関する許可を提供してよい。さらなる例において、ユーザは他者とのエネルギー共用の積極性を指定するため、及び／または、前述の共用のあらゆる条件を指定するために、移動型遠隔通信装置４ａまたは燃料電池充電器４ｂ上でアプリを使用することを必要とされてもよい。例えば、ユーザまたは資源は、共用のために指定された資源における利用可能エネルギーの比率を判定してよい。ユーザは、飛行機に搭乗する前に空港において待っている間など、エネルギーを共用する積極性に関する時間期間またはタイムウィンドウを定義してよい。これらの条件はエネルギー利用可能性メッセージ３５の部分を形成してよい。
【００５７】
エネルギー利用可能性メッセージ３５はまたエネルギー資源４の物理的場所を識別する地理的場所情報を含んでよい。地理的場所は、移動型遠隔通信装置４ａによって判定されてよい。メッセージ３５は、例えば二次バッテリータイプまたは燃料電池充電器タイプのエネルギー資源のタイプを含む基準を含んでよい。メッセージ３５は、エネルギーを転送するためのコネクタのタイプあるいは有線または特定資源に関する誘導充電等のエネルギー転送方法等の、エネルギー資源技術仕様を含む基準を含んでよい。メッセージはさらに、資源４の固有識別子を含んでよい。サーバは、エネルギー資源データベースを参照して固有の識別子から、装置のタイプ等の資源の仕様のうちのいくつかまたはすべてを引き出すことが可能であり得る。基準は、エネルギー資源転送の両当事者を判定するために、サーバ２によって使用されてよい。
【００５８】
メッセージ３５を受け取ると、サーバ２はメッセージ３５内に内包される情報を一時的にまたは恒久的に貯蔵してよい。サーバ２はメッセージ内の情報を使用して、エネルギー共用者データベース内のエネルギー共用者記録を作成してよい。サーバ２は典型的にはそれぞれが異なる遠方のエネルギー資源から来る複数のエネルギー利用可能性メッセージ３５を受け取り、エネルギー共用者データベースのそれぞれに関する記録を作成することが理解されるであろう。
【００５９】
サーバ２はまた、遠方のエネルギー資源３がエネルギーを必要としていることを指示する遠方のエネルギー資源３からエネルギー要請メッセージ３６を受け取る。エネルギー要請メッセージを送る遠方のエネルギー資源は自身で共用するあらゆるエネルギーを有しないかもしれないことが理解されるであろう。例えば、エネルギーを要請する遠方のエネルギー資源は、その燃料電池充電器３ｂ内のすべての燃料を使用してしまったかもしれず、したがって使用する代替可搬型エネルギー資源を発見することを探している。代替的に、エネルギーを要請している遠方のエネルギー資源は移動型遠隔通信装置３ａを唯一備えてよい。
【００６０】
サーバ２はまた、エネルギー要請メッセージ３６を送る遠方のエネルギー資源の地理的場所を受け取る。地理的場所は資源３により判定されてよく、そしてエネルギー要請メッセージ３６の部分を形成し、あるいは、地理的場所はサーバ２によって判定されてよい。
【００６１】
エネルギー要請メッセージ３６はまた必要とされるエネルギーの量の詳細あるいは「必要とされるエネルギー転送分量」を含んでよい。これは充電量、バッテリー割合量、資源３がエネルギーを受け取るために対応可能な時間期間として表現されてよい。移動型遠隔通信装置上のアプリ等の資源３は、これらの分量のそれぞれをサーバ２により使用する標準形式へ翻訳し、あるいはサーバが翻訳を実施してもよい。翻訳を実施するために追加情報が必要とされてよいことが理解されるであろう。例えば、移動型遠隔通信装置の一次バッテリーの容量は、望まれる一次バッテリーの割合に到達する前に、必要なエネルギー／充電の量を判定するために必要とされてもよい。エネルギー要請メッセージ３６はまた、一次バッテリーレベルあるいはエネルギー生成／貯蔵装置レベル等の、現行エネルギー資源レベルの詳細を含んでよい。メッセージ３６は、例えば一次バッテリータイプまたは燃料電池充電器タイプのエネルギー資源のタイプの詳細を含んでよい。メッセージ３６は、エネルギー転送のためのコネクタタイプあるいは、特定資源に関する有線または誘導充電等のエネルギー転送方法等の詳細を含んでよい。メッセージは、さらに、エネルギーを必要としている資源３の固有識別子を含んでよい。サーバは、エネルギー資源データベースを参照して固有の識別子から、装置のタイプ等の資源の仕様のうちのいくつかまたはすべてを引き出すことが可能であり得る。
【００６２】
サーバ２は、エネルギー要請メッセージ３６を受け取ると、そのエネルギー資源を積極的に共用する当事者を判定してよい。このように、サーバ２はエネルギー共用者データベースの記録を参照し、エネルギー資源転送者のための当事者またはいくつかの当事者候補を識別してよい。当事者の判定は、エネルギーを要請している当事者及びエネルギー共用当事者の地理的場所に基づいて判定されてよい。このように、サーバ２またはそのプロセッサは、資源要請エネルギー３の地理的場所に最も近いエネルギーを積極的に共用するエネルギー共用資源４を判定してよい。
【００６３】
サーバ２は他のまたは追加基準を利用し、エネルギー資源転送者の当事者を判定してよい。例えば、サーバ２は、資源４が積極的に共用する、あるいは利用可能である（「エネルギー利用可能性分量」）エネルギーの量と比較して、資源２により要請されるエネルギーの量（「必要とされるエネルギー転送者分量」）を考慮してよい。前述のようにこれらの分量は、エネルギー転送者にとって対応可能な時間または必要とされる一次バッテリー割合等のさまざまなやり方により定義されることが可能である。サーバは、これらの分量を操って両当事者を判定することを必要とされてよい。例えば、エネルギー要請者３は、その移動型遠隔通信装置の一次バッテリーの７０％の充電を取得するために十分なエネルギーを要請してよい。エネルギー共用者は、エネルギー転送者のためにそれらが１５分間の時間期間について対応可能であることを指定してよい。このように、サーバ２は、エネルギー要請メッセージ３６を使用して、資源３の現行一次バッテリーレベルを判定してよく、そしてそれにより、必要な充電の量を計算してよい。サーバ２はまた、資源２により達成可能な潜在的充電率、そしてそれ故、要請された７０％の充電を達成するためにかかるおおよその時間を判定してよい。潜在的充電率は、資源固有識別子及び固有識別子の事前決定データベース、移動型遠隔通信装置タイプ及び充電率を参照して判定されてよい。サーバ２は次に突き合わせルーチンを実施し、エネルギーを要請している資源３のエネルギー需要を満足させるために、十分な時間期間、積極的に共用する資源を識別可能である。
【００６４】
サーバ２は、エネルギー資源転送の両当事者を判定するとき、エネルギーを要請している資源３及びエネルギーの共用に積極的である資源４のうちの１つ以上の基準を斟酌してよい。基準は、エネルギー資源タイプ（燃料電池充電器、二次バッテリー、その他）、エネルギー資源レベル（資源内に存在するエネルギーのレベル）、エネルギー利用可能性分量（電気エネルギーの量、時間期間、燃料レベルまたは使用する利用可能な燃料の量、転送のために利用可能な予想されるバッテリー割合充電量）、必要とされるエネルギー転送分量（エネルギーの量、時間期間または要請される一次バッテリー割合）、転送時間（当事者が積極的にそのエネルギーを共用する時間）、エネルギー利用可能性タイムウィンドウ（両当事者のうちの一方が、エネルギーの共用に対応可能であるのに都合がよい、時間的ウィンドウ）、地理的近接性（物理的距離または両当事者間の予想される旅行時間）のうちの１つ以上を含んでよい。
【００６５】
この例では、サーバ２は、エネルギー利用可能性を有する両当事者候補リストで構成される候補メッセージ３７を送るように構成される。他の例では、資源３には両当事者候補の選択肢の申し出がない。各候補エネルギー資源は、サーバ２によって使用される突き合わされたいくつかまたはすべての突き合わせ基準を有してよい。候補メッセージ３７はサーバ２によって比較される基準の１つ以上を指定し、前述の当事者候補を判定してよい。例えば、候補メッセージ３７は、ユーザに対し、第１の候補資源は要請された量のエネルギーを積極的に共用するが、事前決定距離より遠く、一方、さらなる候補資源はより近いが、エネルギーの要請を完全に満足させることができないかもしれないことを表示するために資源３によって使用されてもよい。資源３のユーザは次に、どちらのエネルギー共用資源について、エネルギー資源転送を行うことを希望するかを選択可能である。
【００６６】
候補メッセージ３７は、リスト内の各候補の大体の場所を資源３に提供する情報を、内包してよい。ユーザが当事者候補を選択し、その選択された当事者がエネルギー資源転送要請を受諾した後により精密な場所が提供されてもよい。これは、その精密な場所は許可を与えた後にのみ表明されるので、エネルギー共用資源４に関するある程度のプライバシーを提供し、これは以下にさらに説明される。
【００６７】
サーバ２は、候補メッセージ３７に応答して、資源３から選択メッセージ３８を受け取るように構成される。選択メッセージ３８は、資源３のユーザにより選択される候補エネルギー資源の１つの識別子を備える。他の実施形態では、エネルギーを共用することを欲するエネルギー資源は、エネルギーを必要とする当事者候補の詳細を受け取り、類似の仕方によって選択メッセージをその後に送信してよい。
【００６８】
サーバ２は、エネルギー転送接続通知メッセージ３９をエネルギー共用資源４に送信するように任意選択により構成されてよい。エネルギー転送接続通知メッセージ３９は、ユーザに対し、エネルギーを必要とする当事者が識別されたことをエネルギー共用資源４のユーザ（積極的にエネルギーを共用する当事者）に知らせ、先に進むための是認を要請する。このステップは、エネルギー共用資源が通知され、その場所及びおそらく識別（写真等）のエネルギーを要請している資源への送信を是認しなければならない故に、セキュリティとプライバシーの点で有利であろう。他の例では、一旦エネルギー利用可能性メッセージ３５が送られると、サーバ２からエネルギー共用資源４のユーザへのさらなる通信はないであろうことが理解されるであろう。
【００６９】
サーバは、エネルギー要請者３との提案されるエネルギー資源転送の受諾または拒絶を指示する第２のエネルギー資源４からの接続応答メッセージ４０を受け取るように構成される。メッセージ４０が転送の拒絶を備える場合には、サーバ２は代替エネルギー資源を判定することに進み、あるいはエネルギーを要請しているユーザに対してエネルギー資源転送が可能ではないことを知らせてもよい。しかしながら、メッセージ４０がエネルギー資源転送の是認を含む場合には、サーバ２は、当事者識別メッセージ４１を、エネルギーを必要としているエネルギー資源３に対して送信するように構成されてよく、これはエネルギー共用資源４の場所情報（または前述のようにすでにおおよその位置情報が提供されている場合には、より精密な場所情報）を含む。
【００７０】
当事者識別メッセージ４１を使用して、エネルギーを欲しているエネルギー資源２は、エネルギー積極的に提供するエネルギー資源４へ向けられる。したがって、エネルギー資源転送は実施され得る。他の実施形態においては、エネルギー利用可能性のあるエネルギー資源はエネルギーを欲するエネルギー資源２へ向けられてもよいことが理解されるであろう。したがって、エネルギー転送接続通知メッセージ３９及び接続応答メッセージ４０は、エネルギー必要資源２への送信／からの受け取りが行われてよい。
【００７１】
エネルギー資源転送は、エネルギーを交換するエネルギー資源のタイプに依存して、いくつかの異なるやり方で効果を有してよい。例えば、図２に示されるように、積極的にエネルギーを共用する当事者のエネルギー生成装置４ｂは、エネルギーを要請している当事者の移動型遠隔通信装置３ａと接続される。代替的には、エネルギー資源及び、特に、エネルギー生成装置が同一タイプ、燃料電池充電器４ａ、４ｂなど、である場合には、一方の当事者の燃料貯蔵容器９は他方の当事者の燃料電池６に接続されてよい。したがって、エネルギー転送は、燃料貯蔵容器の燃料を共用することによって効果を有する。さらに、エネルギー資源転送は、移動型遠隔通信装置４ａとのさらなる接続なしに、移動型遠隔通信装置３ａと接続するためにエネルギー資源４を渡す共用当事者によって達成されてよい。
【００７２】
しかしながら、エネルギー資源転送は効果を有し、サーバ２は転送されるエネルギーの詳細の制御及び／または監視及び／または受け取りを行ってよい。
【００７３】
サーバ２がエネルギー転送を制御するように構成される場合、エネルギー資源の一方または両方からメッセージ４２、４３を受け取るように構成されてよく、資源間で行われる有線接続等の好適接続を周知させる。サーバ２は次に、一方または両方の当事者に対してエネルギー転送開始メッセージ４４、４５を送信し、転送を始めてよい。サーバ２はエネルギー転送進捗メッセージ４６を受け取るように構成されてよく、これは定期的に受け取られてよく、エネルギー転送の進捗を監視することを可能にする。サーバが、エネルギー転送進捗メッセージから、エネルギーを必要とする当事者が、彼らが共用当事者に要請したエネルギーを受け取った、または、共用当事者が申し出られたエネルギーの量を転送したと判定すると、サーバ２はエネルギー転送終結メッセージ４７を送信してエネルギー転送を終了するように構成されてよい。代替的に、エネルギー転送の制御は、移動型遠隔通信装置３ａ、４ａの一方または両方、及び／またはエネルギー生成／貯蔵装置３ｂ、４ｂの一方または両方により実施されてよい。
【００７４】
エネルギー資源転送の完了または終結時において、前述の転送がどのように制御されたかに関わらず、第１のエネルギー資源３及び／または第２のエネルギー資源４は、両当事者の間で転送されたエネルギーの量を指示するエネルギー転送メッセージ４８を送ってよい。
【００７５】
サーバ２は、ユーザ識別子またはエネルギー資源識別子に照らして転送されたエネルギーを貯蔵するように構成されてよい。これは、将来のエネルギー転送について、両当事者を制御または識別するために使用されてよい。さらに、エネルギーを共用したエネルギー資源４と関連するユーザは、そのように行うことについて報酬を受けてよい。エネルギーを受け取ったエネルギー資源３と関連するユーザは、そのようにすることについて課金されてよい。さらに、サーバは、各当事者から受け取られたエネルギー利用可能性メッセージ３５の数、または各当事者がそのエネルギーを積極的に共用した時間の持続を記録するように構成されてよい。サーバ２はそのような記録に基づいて報酬を発行するように構成されてよい。
【００７６】
エネルギー資源転送に関与する移動型遠隔通信装置３ａ、４ａ及び／またはエネルギー生成／貯蔵装置３ｂ、４ｂの場所は、前述のエネルギー資源転送中に追跡または監視されてよい。このように、サーバ２は、エネルギーを共用する当事者の移動型遠隔通信装置４ａ（これはエネルギー資源転送に直接的に関与していない）から地理的場所メッセージを、そして移動型遠隔通信装置３ａから（またはそれに接続されるエネルギー生成／貯蔵装置４ｂから直接に、または移動型遠隔通信装置を介して）地理的場所メッセージを受け取るように構成されてよい。地理的場所メッセージはエネルギー転送進捗メッセージ４６の部分を形成し、または別個のメッセージを含んでよい。サーバ２は、エネルギーを必要とする当事者により使用中、共用当事者の移動型遠隔通信装置４ａと共用当事者のエネルギー生成／貯蔵装置４ｂ（移動型遠隔通信装置３ａと接続される）の間の分離距離を判定するために場所メッセージを使用するように構成されてよい。しきい量を超えて距離が増加する場合には、サーバ２は警告メッセージを移動型遠隔通信装置４ｂに送るように構成され、共用当事者及び／またはエネルギー受け取り当事者に対してエネルギー生成／貯蔵装置はしきい距離よりも遠方である旨を警鐘してよい。サーバ２は、分離の距離に基づいて、転送を一時停止または制御するように構成されてよい。装置３ａ、４ａ、４ｂの地理的場所は、ＧＰＳ回線等を使用して装置それ自体により判定され、サーバ２へ送信され、またはサーバ２によって判定されてもよい。エネルギーを必要としている当事者が、エネルギー共用者のエネルギー生成／貯蔵装置４ｂを使用する間、共用当事者はその移動型遠隔通信装置４ａを自身で保持する故にこれは有利である。エネルギー生成／貯蔵装置４ｂは地理的場所メッセージを送ることができたりできなかったりするが、エネルギー資源転送中に接続されている移動型遠隔通信装置３ａはその地理的場所をサーバ２に報告することが可能であり、したがって、２つの参照ポイントが分離距離を判定するために利用可能である。これは、エネルギー資源転送中に有利なセキュリティを提供する。
【００７７】
エネルギー転送が完了すると、サーバ２は、エネルギーを必要とする当事者からエネルギー生成／共用装置４ｂの戻りを受け取ることを指示する資源返還メッセージ４９を共用当事者から待つように構成されてよい。移動型遠隔通信装置４ａまたはエネルギー生成／共用装置４ｂは、それらが互いに接続されているとき、自動的に資源返還メッセージ４９を送るように構成されてよい。
【００７８】
資源返還メッセージ４９はエネルギー資源転送の終わりにおいて、エネルギー要請当事者からエネルギー共用当事者へのエネルギー生成／貯蔵装置４ｂの返還を判定するために使用されてよい。資源返還メッセージ４９は、前述の場所追跡メッセージの代わりに、またはそれに加えて使用されてもよい。
【００７９】
資源返還メッセージ４９を受け取ると、サーバ３２はエネルギー資源転送完了メッセージ５０を、第１のエネルギー資源３及び、任意選択により、第２のエネルギー資源４へ送信するように構成されてよい。資源転送完了メッセージ５０は、第１の移動型遠隔通信装置３ａまたは第１のエネルギー生成／共用装置３ｂの機能を再活性化してよい。このように、セキュリティのために、移動型遠隔通信装置３ａ及び／または第１のエネルギー生成／共用装置３ｂの機能は、エネルギー資源転送が始まったときから、エネルギー生成／共用装置３ｂが安全にその所有者に戻されるまで、制限されてよい（サーバ２からのメッセージのやり方により、あるいは移動型遠隔通信装置３ａ上のアプリによって）。制限されてよい機能は、第１のエネルギー生成／共用装置３ｂの動作を含む。これは、エネルギー要請当事者により所有されていると登録されているあらゆるエネルギー生成／共用装置識別情報を判定し、不能メッセージを（エネルギー資源転送の時点において、またはそれ以降、または登録された装置が次に接続あるいは使用されるとき）送信して、資源４ｂ返還メッセージ４９が受け取られるまでエネルギー資源３ｂを不能にして、サーバ２によって達成されてよい。
【００８０】
他の実施形態では、サーバ２は提供されておらず、その代わり、サーバの機能が、互いにピアツーピア接続を開始するエネルギー資源の相互接続ネットワークにより用意されて、近くのエネルギー資源を発見することが理解されるであろう。このように、当事者はエネルギーを必要とする移動型遠隔通信装置上のアプリによって判定されてよい。
【００８１】
移動型遠隔通信装置３ａ、４ａに切り換えると、本発明は、前述のように、移動型遠隔通信装置３ａ、４ａ上のアプリケーションまたは「アプリ」を使用して実装されてよい。このように、アプリは移動型遠隔通信装置３ａ、４ａのメモリ内に貯蔵され、プロセッサ上で実行されるソフトウェアを含む。この例におけるアプリは、関連する移動型エネルギー資源の共用、及びメッセージの送信を申し出て、エネルギー共用に積極的な当事者を判定するメッセージの送信を用意するように構成される。アプリはこれら２つの機能の１つのみを実施するように構成されてよいことが理解されるであろう。
【００８２】
アプリは、この例では、少なくとも１つの移動型エネルギー資源３ｂと関連付けられるように構成される。アプリがその上にインストールされている移動型遠隔通信装置３ａの所有者は、移動型エネルギー資源３ｂ（同様に、移動型遠隔通信装置４ａ及びエネルギー資源４ｂ）を所有してもよい。アプリはエネルギー資源との連結のための第１の通信チャンネルを確立するように構成される。このように、アプリはエネルギー資源を尋問またはそこからメッセージを受け取るように構成し、固有ＩＤでそれを識別し、資源のタイプを識別し、（例えば、燃料電池充電器、二次電池等）及び／または燃料または資源のエネルギーレベルを判定してよい。アプリはまた、遠方のサーバ２と連結するために第２の通信チャンネルを確立する。アプリはこのように、移動型遠隔通信装置３ａ、４ａのプロセッサのための命令を提供し、プロセッサが第１の通信チャンネルを介してエネルギー資源から状態メッセージを受け取るように構成する。状態メッセージは、この例では資源は燃料電池充電器であるが、燃料レベルを含んでよい。アプリはまたプロセッサが第２の通信チャンネルを介して遠方のサーバ２に対してエネルギー入試可能性メッセージ３５及び地理的場所インジケータを送信することを用意するための命令も含み、さらにプロセッサは遠方のサーバからエネルギー要請メッセージを受け取り、前述のエネルギー要請の表示を用意するように構成される。
【００８３】
このように、アプリは、地理的場所判定回線または移動型遠隔通信装置３ａのソフトウェアを使用して、その地理的場所を判定するように構成されてよい。代替的に、地理的場所インジケータは、サーバ２が装置３ａの地理的場所を判定することを可能にするデータを含んでよい。例えば、ネットワーク識別子またはネットワーク経路決め情報は、地理的場所を判定するために、おそらく場所データベースを参照して、サーバ２によって使用されることが可能であるメッセージの部分を形成してよい。
【００８４】
移動型遠隔通信装置のユーザは、グラフィカルユーザインタフェースを介してアプリと対話し、彼らのエネルギー資源から彼らがエネルギーを積極的に共用することを指定してよい。このようにユーザは、ユーザインタフェース要素を作動させて、積極的にエネルギーを共用することを述べることができる。代替的にアプリは、エネルギー利用可能性の条件を指定するためのオプションをユーザに提示してもよい。これらの条件は、現在の地理的場所においてユーザが留まる時間の長さ、積極的に共用するエネルギーの量、エネルギーを積極的に共用しようとするユーザのタイプ（例えば、男性、女性）または任意の他の条件を含んでよい。資源の技術的仕様に関する条件は、アプリによって判定されてよい。これらの条件は、前述のように、エネルギー資源転送の両当事者を識別する基準として、サーバによって使用され得る。エネルギー利用可能性メッセージ３５は、このように、状態メッセージからの燃料レベル及び／またはユーザによって指定された任意の条件を含む。
【００８５】
アプリは次に、サーバ２からの応答を待機するように構成されてよく、これはエネルギー転送接続通知メッセージ３９を含み得る。アプリは、ユーザに対し、エネルギーを必要としている当事者が見つかったことを周知する通知を表示するように構成されてよい。提案されたエネルギー資源転送をユーザが受諾または拒絶するかに関する、ユーザ選択可能オプションが表示され得る。アプリは、サーバ２にユーザ選択を周知する接続応答メッセージ４０の送信を用意するように構成されてよい。
【００８６】
エネルギー資源転送のための準備は、移動型遠隔通信装置３ａをエネルギー共用当事者のエネルギー資源４ｂと接続する、エネルギーを必要とする当事者を含んでよい。この事例においては、装置３ａ上の同等アプリは、資源４ｂとの通信チャンネルを確立し、状態メッセージを尋問及び／または受け取ってよい。状態メッセージは、資源４ｂの識別情報を含んでよい。エネルギーを必要とする移動型遠隔通信装置３ａ上のアプリは、エネルギー転送好適接続メッセージ４２の送信を用意してよい。メッセージ４２は、移動型遠隔通信装置の一次バッテリーを充電するのに好適なエネルギー転送接続が、資源４ｂと移動型遠隔通信装置３ａの間で行われた旨をサーバに周知してよい。
【００８７】
いくつかの例では、エネルギー共用当事者の移動型遠隔通信装置４ａは、他の当事者の移動型遠隔通信装置３ａを充電している間、その関連資源４ｂとの有線または無線接続を維持する。この接続は、エネルギー転送の制御及び／またはエネルギー転送に関する更新を行うために使用されてよい。さらに、接続はセキュリティのために使用されてよく、接続の維持はエネルギー転送が進むために必要である。これは、有線接続または無線接続の範囲の理由により、エネルギー共用当事者の資源が共用当事者の移動型遠隔通信装置から遠くへ迷い込みすぎることを阻止してよい。
【００８８】
エネルギーを必要としている移動型遠隔通信装置３ａ上のアプリ及び／またはエネルギー共用資源４ｂと関連付けられている移動型遠隔通信装置上のアプリは、少なくともエネルギー資源転送が完了したときに転送されるエネルギーをサーバに周知するメッセージをサーバ２１に送信する用意をしてよい。メッセージはまた、エネルギー資源転送を制御するために、エネルギーを受け取る移動型遠隔通信装置３ａ及びサーバ２またはエネルギー共用資源４ｂと関連付けられた移動型遠隔通信装置４ａの間で交換されてよい。代替的に、エネルギーを必要としている当事者の移動型遠隔通信装置３ａ上のアプリは、望まれるエネルギーの量またはエネルギー共用当事者が積極的に共用しようとしていたエネルギーの量に基づき、エネルギー資源転送を制御してよい。
【００８９】
ここでエネルギー要請当事者３ａの移動型遠隔通信装置上のアプリの活動を参照すると、アプリは、おそらくは彼らのエネルギー資源が燃料を使い尽くしたためにエネルギーを必要としている旨を指定する入力をユーザから受け取るための、グラフィカルユーザインタフェースを提供する。このようにユーザは、遠方のエネルギー資源からエネルギーを必要とすることを述べるために、ユーザインタフェース要素を作動させるだけでよい。アプリはまた、エネルギー資源転送の条件を指定するためのオプションを、ユーザに対して提示し得る。例えば、条件は彼らが必要とするエネルギーの量、あるいは彼らがエネルギー資源転送のために対応可能な時間を含み得る。
【００９０】
アプリは、エネルギー資源転送及びあらゆる関連付けられた条件に関する望みについてサーバ２に周知するエネルギー要請メッセージ３６の送信を用意するように構成されてよい。
【００９１】
アプリは、当事者識別メッセージ４１または図３との関係において論じられるあらゆる中間メッセージを受け取るための命令を含んでよい。候補メッセージ３７に応答して、アプリは選択インタフェースを表示するように構成されてよく、これはそれぞれの地理的場所内に両当事者候補がその上にマークされた地図または両当事者候補のリストを含んでよい。ユーザは選択要素を活動化してユーザが選択を行うことを可能にするように表示されてよく、これは接触感応ディスプレイ上のグラフィックまたは物理的ボタンの指定を備えてよい。アプリは、ユーザに対して当事者の選択を周知するために選択メッセージ３８を送ることを用意するように構成されてよい。
【００９２】
当事者識別メッセージ４１を受け取ると、アプリはエネルギーを積極的に共用する当事者に対してユーザを向けるように構成されてよい。地図または一連の命令あるいはその両方は、アプリ（ローカルにまたは遠方に貯蔵された、例えばウェブベースの地図サービス）により提供されてよい。エネルギー転送は前述のように進んでよい。
【００９３】
さらなる例において、サーバはエネルギー入札メッセージに基づいてエネルギー資源転送の両当事者を判定するように構成されてよい。エネルギー入札メッセージは、エネルギーを必要とするエネルギー資源から受け取られてよい。入札メッセージは、別のエネルギー資源からのエネルギーのためにユーザが積極的に支払う量を指定してよく、この量は金銭であってもよい。サーバは、エネルギー入札メッセージ、そして任意選択により、両当事者の地理的場所に基づいて両当事者を判定してよい。
【００９４】
サーバは、エネルギー資源が積極的に共用するエネルギーの価値を指定する遠方のエネルギー資源から、エネルギー価値メッセージを受け取るように構成されてよい。このように、各エネルギー資源は、積極的にエネルギー共用しようとする価格を指定してよい。サーバは、エネルギー価値メッセージ及びエネルギー入札メッセージに基づき、両当事者の判定を用意するように構成されてよい。このように、エネルギー入札メッセージは、エネルギーを欲しているユーザが積極的に支払う最大価格を含んでよい。
【００９５】
エネルギー入札メッセージは、エネルギーを積極的に共用しようとするエネルギー資源のオークションを行うために、サーバによって使用されてよい。これは、エネルギーを必要としているユーザが、エネルギーを積極的に共用しようとするユーザによって供給されるエネルギーに関する１つ以上の入札を行う故に有利である。
【００９６】
積極的にエネルギーを共用するユーザは、エネルギー価値メッセージまたはエネルギーについて欲する固定価格のやり方によって予約価値を設定してよい。
【００９７】
サーバは、遠方のエネルギー資源から受け取られたオークション参加メッセージ内に指定された基準に基づき、オークションへの参加者を識別するように構成されてよい。オークション参加メッセージは、資源が利用可能な時間、エネルギーを積極的に提供する地理的場所、他の基準の中で利用可能なエネルギーの量を指定してよい。サーバはその後、他の遠方のエネルギー資源から受け取られたエネルギー利用可能性メッセージの受け取りに続いて、エネルギー入札メッセージを受け取るように構成されてよい。サーバは、オークションの結果に基づき、エネルギー資源転送の両当事者を判定するように構成されてよい。
【００９８】
サーバは、エネルギー資源のエネルギーに関するオークションへ積極的に入るところの地理的場所、利用可能な日時、エネルギーを要請しているユーザの所へ来る準備ができているか、あるいは、エネルギーを要請しているユーザはそこへ行く必要があるか、のうちの１つ以上を指定するオークション仕様メッセージをエネルギー資源から受け取るように構成されてよい。
【００９９】
サーバは、エネルギー資源転送を周旋するための取引料金の集合、及び／または転送されるエネルギーに関する両当事者間の支払いの集合を指定してよい取引記録メッセージを送信または記録するように構成されてよい。このように、取引記録メッセージは、支払いの集合または要請のためにさらなるサーバ（示されていない）へ送られてよい。
【０１００】
サーバは、特定時間におけるエネルギー共用の積極性、エネルギーが必要なときの人物の所へ来る積極性、エネルギー共用の積極性、資源の信頼性の測定値あるいはエネルギー共用者及び／またはエネルギー要請者のクレジットスコアのうちの１つ以上に基づき、両当事者を判定するように構成されてよい。
【０１０１】
移動型遠隔通信装置は、ユーザ入力を受け取るためのキーパッドまたは接触感応ディスプレイを含んでよいことが理解されるであろう。移動型遠隔通信装置はまたディスプレイを含んでよい。アプリまたはコンピュータプログラムは、移動型遠隔通信装置のプロセッサのための命令を含むとして上に記述されているが、上の動作は装置内のハードウェアまたはファームウェアにより達成されてよい。さらに、アプリを形成するコンピュータプログラムは、エネルギー資源上で貯蔵され、あるいは、エネルギー資源により実行されてよい。他の実施形態では、エネルギー資源は、電力の一次ソースとして、燃料電池を有する移動型遠隔通信装置を備えてよい。この実施形態においては、エネルギー資源転送は燃料電池に関する燃料容器の共用を含んでよい。サーバは中央サーバであってよく、分散サーバまたは機能サーバはピアツーピア（またはモノのインターネット）ネットワークの装置にわたって提供されてよい。
【０１０２】
他の例では、近くのエネルギー資源を識別する等のいくつかの機能は、ピアツーピア通信を介して実施されてよく、一方エネルギー転送取引の記録作り等の他の機能は、ピア−サーバ／サーバ−ピア通信により実施されてよい。例えば、エネルギー資源は直接ピアツーピアまたは（ＺｉｇＢｅｅ（登録商標）またはＷｉｆｉ等を介して）ローカルメッセージにより他のエネルギー資源を探索するように構成されてよい。このように、エネルギー要請メッセージの送信または受け取りあるいはエネルギー利用可能性メッセージに関するサーバの機能は、エネルギー資源にまたがって分散される。エネルギー資源は、サーバに対し、エネルギーが必要であり、十分な利用可能エネルギーを有する近くのエネルギー資源を識別したことを述べる当事者見つけ出しメッセージを送信するように構成されてよい。サーバは次に、地理的場所の公開及び／または転送合意メッセージの送り出し及び受け取り及び／または送り出し命令メッセージにより、両当事者に対するエネルギー資源転送を容易にし、エネルギー転送が効果を有するものとしてよい。例えば、両当事者は命令メッセージのやり方によってその燃料貯蔵容器の相互取り換えを促進されてもよい。
【０１０３】
このエネルギー資源システムに参加しているユーザは、そのエネルギー資源の共用に関して、及び／またはエネルギー共用のために対応可能でいることに関して、報酬を得られる可能性がある。可搬型エネルギー資源を有するユーザは、奨励プール及び報酬プールに登録させられてもよい。奨励プールは、共用のためにそのエネルギー資源を登録するユーザに報酬を与えるためにくじベースのシステムを備えてよい。サーバ２またはサーバ２と通信をするさらなる演算装置は、エネルギー資源及びエネルギー共用のために対応可能なユーザの記録を維持してよい。サーバ２はまた、ユーザに対していくつかの報酬ポイントを割り当てるためにユーザのエネルギー資源から転送されるエネルギーの詳細あるいは、エネルギー資源転送に関与した回数を提供してよい。例えば、ユーザは、充電器を別のユーザと共用するたび毎に１０ポイント、そして別のユーザの移動型遠隔通信装置を充電するために充電器が使用される３０分毎にさらに１０ポイントの報奨を受けてもよい。くじベースのシステムはランダム選択に基づいてよいが、ユーザに対してより多くの報酬ポイントで好意的となってひずみを生じてもよい。報酬ポイントが大きくなるにつれ、くじを獲得する機会はより高くなる。ユーザはまた、燃料カートリッジ７、９を補充、あるいは新しい充電器６、８または燃料カートリッジ７、９を購入する毎に報酬ポイントを得てもよい。
【０１０４】
さらなる例において、両当事者間の金銭交換はサーバ２からのデータを使用して容易とされてよい。共用される燃料の量に依存して、ユーザはエネルギーを受け取る当事者から金額をその口座に転送されて受け取ってもよい。これは、転送されるエネルギーに関するサーバ２からのデータを使用して電子的に容易とされてもよい。誤用及び不公平な価格設定を制御するため、取引は、交換される燃料に関する正しい価格を判定可能な中央サーバから制御されることが可能である。さらなる演算装置によって主催されてよい請求エンジンは、すべてのそのような取引を管理し、またユーザに関する報酬ポイントを管理可能である。請求エンジンは、取引の数、得られた報酬ポイント、得られた金額その他の追跡を維持してよい。
【０１０５】
サーバ２またはさらなる演算装置は、エネルギーを要請している当事者から受け取られた地理的場所情報を照合し得る。分析エンジンが、ユーザの行動、エネルギー資源転送が生ずる地理的場所、エネルギー／燃料使用法、金銭取引等におけるパターンを識別するように構成され得る。この分析エンジンは、燃料電池カートリッジもしくは貯蔵容器を販売する小売店、または燃料補給ステーション等の、より多くのエネルギー供給のための潜在的場所を判定するために報告書を作成するように構成されてよい。
【図１】
0006657211.tif 000002
【図２】
0006657211.tif 000003
【図３】
0006657211.tif 000004